(57)【特許請求の範囲】
【請求項１】
筐体内に、投入口から投入された遊技媒体を貯留する主タンクと、入賞に応じて前記主タンクの遊技媒体を規定数ずつ払い出す払い出し手段と、前記主タンクの遊技媒体の満杯時に該主タンクからオーバーフローした遊技媒体を貯留する補助タンクとを備え、
導電性プローブを介して前記補助タンク内の遊技媒体を検出する検出手段を備えた遊技機において、
電気的手段相互を中継する中継基板と、
前記中継基板を前側から覆う基板カバーと、
を備え、
前記中継基板は前記基板カバーの後側に固定され、
前記導電性プローブは前記中継基板に直接接続された状態で前記基板カバーを貫通して前記基板カバーの前側に突出するように配置され、
前記筐体内でその後壁の前記補助タンクの後側に対応する位置に前記基板カバーを固定して、前記導電性プローブが前記補助タンク内に突出するように構成した
ことを特徴とする遊技機。
【発明の詳細な説明】
【技術分野】
【０００１】
本発明は、メダル、コイン等を遊技媒体とするスロットマシン等の遊技機に関し、補助タンクの遊技媒体を検出する検出手段の取り付け作業を簡素化するようにしたものである。
【背景技術】
【０００２】
メダル、コイン等を遊技媒体とするスロットマシン等の遊技機では、遊技毎に前面パネルの投入口から投入されたメダル等の遊技媒体を筐体内の底壁上に配置された主タンク内に貯留しておき、大当たり等の入賞があればその入賞判定を主制御基板側で行った後、この主制御基板からの払い出しコマンドにより払い出し手段が入賞に応じて主タンク内の遊技媒体を規定数ずつ払い出すようになっている。
【０００３】
そして、遊技中に主タンク内の遊技媒体が満杯状態になれば、その後に投入された遊技媒体を主タンクのオーバーフロー口から補助タンクへとオーバーフローさせて、筐体内に出し入れ自在に配置された補助タンクへと移し、また補助タンク内に所定量の遊技媒体が貯留すれば、補助タンクの裏側で筐体の後壁に設けられた検出手段により検出してスピーカ等の報知手段により管理者に報知するようにしている（特許文献１）。
【０００４】
主制御基板は通常筐体の上部に配置されており、この主制御基板と筐体の底壁上の払い出し手段とを電気的に接続するに当たっては払い出し手段の裏側近傍に中継基板を配置して、この中継基板を経由して主制御基板と払い出し手段とをハーネスを介して接続している。
【先行技術文献】
【特許文献】
【０００５】
【特許文献１】特開２００１−２９９９９４号公報
【発明の概要】
【発明が解決しようとする課題】
【０００６】
一般に検出手段には支持部材に一対の導電性プローブを突設したものが使用されている。そして、従来は検出手段を中継基板の比較的近傍で筐体の後壁に取り付けている。このため中継基板とは別に検出手段を後壁に取り付ける作業が必要になり、検出手段の取り付けを含む筐体側の組み立て作業が煩雑化する欠点がある。
【０００７】
また検出手段を中継基板を介して主制御基板、報知手段等に接続する場合には、検出手段を中継基板に接続するハーネスも必要になり、筐体の後壁の内面側に他のハーネスがある場合には、ハーネス同士が錯綜する惧れもある。更に検出手段と中継基板とが別部品になっているため、部品点数が増加してその管理も複雑になる欠点がある。
【０００８】
本発明は、このような問題点に鑑み、補助タンクの遊技媒体を検出する検出手段の取り付け作業の簡素化を促進できると共に、ハーネスの錯綜を防止できる遊技機を提供することを目的とする。
【課題を解決するための手段】
【０００９】
本発明は、筐体内に、投入口から投入された遊技媒体を貯留する主タンクと、入賞に応じて前記主タンクの遊技媒体を規定数ずつ払い出す払い出し手段と、前記主タンクの遊技媒体の満杯時に該主タンクからオーバーフローした遊技媒体を貯留する補助タンクとを備え、導電性プローブを介して前記補助タンク内の遊技媒体を検出する検出手段を備えた遊技機において、電気的手段相互を中継する中継基板と、前記中継基板を前側から覆う基板カバーと、を備え、前記中継基板は前記基板カバーの後側に固定され、前記導電性プローブは前記中継基板に直接接続された状態で前記基板カバーを貫通して前記基板カバーの前側に突出するように配置され、前記筐体内でその後壁の前記補助タンクの後側に対応する位置に前記基板カバーを固定して、前記導電性プローブが前記補助タンク内に突出するように構成したものである。
【発明の効果】
【００１０】
本発明によれば、補助タンクの遊技媒体を検出する検出手段の取り付け作業の簡素化を促進できると共に、ハーネスの錯綜を防止できる利点がある。
【図面の簡単な説明】
【００１１】
【図１】本発明の第１の実施例を示すスロットマシンの全体斜視図である。
【図２】同筐体側の正面図である。
【図３】同中継基板ユニット等の拡大正面図である。
【図４】同中継基板ユニット等の平面断面図である。
【図５】同中継基板ユニット等の一部破断斜視図である。
【図６】同中継基板ユニットの分解斜視図である。
【図７】同配線図である。
【図８】本発明の第２の実施例を示す中継基板ユニット等の平面断面図である。
【図９】本発明の第３の実施例を示す中継基板ユニット等の平面断面図である。
【発明を実施するための形態】
【００１２】
以下、本発明の各実施例を図面に基づいて詳述する。図１〜図７は本発明をスロットマシンとして具現化した第１の実施例を例示する。図１及び図２において、１は遊技機本体で、筐体２と、この筐体２の前側に開閉自在に配置された矩形状の前面パネル３とを備えている。
【００１３】
筐体２は左右一対の側壁４と、この側壁４の上下両端を左右に連結する天壁５及び底壁６と、これらの裏側を塞ぐ後壁７とを備えて前側が開放する箱形に構成されており、この筐体２の前側を閉鎖するように、前面パネル３がヒンジ（図示省略）を介して一方の側壁４に開閉自在に装着されている。なお、他方の側壁４の内側には、前面パネル３の開閉を検出する開閉スイッチ８が設けられている。
【００１４】
筐体２内には図２に示すように、複数の図柄表示リール９ａ〜９ｃを左右方向に配列した表示リールユニット１０、メダル等の遊技媒体を貯留する主タンク１１、主タンク１１内の遊技媒体を払い出す払い出し手段１２、主タンク１１からオーバーフローした遊技媒体を貯留する補助タンク１３、補助タンク１３内の遊技媒体の貯留状態を検出する検出手段１４を含む中継基板ユニット１５、主制御基板１６が収容された主制御基板ケース１７等が配置されている。
【００１５】
表示リールユニット１０は筐体２の上下方向の略中央で左右の側壁４間に支架された支持板１８上に着脱自在に装着されており、その支持板１８の下側で底壁６上に主タンク１１、払い出し手段１２、補助タンク１３が配置され、また表示リールユニット１０の上側に主制御基板ケース１７が配置されている。
【００１６】
主タンク１１は上側が開口するホッパー状で、遊技毎に投入された遊技媒体を受け入れて貯留すると共に、内部の遊技媒体が満杯状態のときには、投入された後続の遊技媒体をオーバーフロー口１９から補助タンク１３へとオーバーフローさせるようになっており、払い出し手段１２上に着脱自在に結合されている。
【００１７】
払い出し手段１２は大当たり等の入賞時に主タンク１１内の遊技媒体を規定数ずつ払い出すためのもので、筐体２の底壁６上に配置されている。補助タンク１３は上側が開口する箱状であって、絶縁性の材料により構成されている。そして、この補助タンク１３は前面パネル３を枢着するヒンジと反対側に配置された側壁４と主タンク１１との間で底壁６上に着脱自在に載置され、必要に応じて出し入れ自在である。補助タンク１３の裏側に対応して筐体２の後壁７の内面に検出手段１４を含む中継基板ユニット１５が装着されている。
【００１８】
前面パネル３の上部には図１に示すように、その上部側に第１表示窓２１と第２表示窓２２とが上下に配置されている。第１表示窓２１は前面パネル３の裏側に装着された液晶式等の画像表示手段２３に対応して形成され、遊技者はこの第１表示窓２１を介して画像表示手段２３の演出画像を前側から視認可能となっている。第２表示窓２２は筐体２側の図柄表示リール９ａ〜９ｃに対応して矩形状に形成され、遊技者はこの第２表示窓２２を介して図柄表示リール９ａ〜９ｃ上の遊技図柄を前側から視認可能となっている。
【００１９】
前面パネル３の前側下部には、払い出し手段１２から払い出された遊技媒体や返却された遊技媒体を前側に排出するための排出口２４が設けられ、その前側に排出口２４から排出された遊技媒体を受ける受け皿２５が横長状に配置されている。
【００２０】
また前面パネル３の上下方向の略中央部には、第１表示窓２１の下側に沿って横長状に操作パネル２６部が設けられ、この操作パネル２６部には遊技に供する遊技媒体を投入可能な投入口２７、投入口２７内に詰まったメダルを返却させるための返却ボタン２８の他、投入口２７への遊技媒体の投入に代えてクレジットから遊技媒体をベットするための１ベットボタン２９及びマックスベットボタン３０、ベットをキャンセルするためのキャンセルボタン３１、図柄表示リール９ａ〜９ｃの回転を開始させるためのスタートレバー３２、回転中の図柄表示リール９ａ〜９ｃを夫々個別に停止させるためのストップボタン３３ａ〜３３ｃ等が設けられている。なお、投入口２７から投入された遊技媒体は、前面パネル３の裏側の選別手段、シュート（何れも図示省略）等を経て主タンク１１内に落下するようになっている。
【００２１】
検出手段１４は図３〜図６に示すように中継基板３５、基板ケース３６を有する中継基板ユニット１５に一体に組み込まれており、その基板ケース３６は外周の複数の取り付け部３７がネジ３８等で筐体２の後壁７の内面に固定されている。即ち、中継基板ユニット１５は合成樹脂材等の絶縁材により形成された基板ケース（基板カバー）３６と、この基板ケース３６の裏側に固定され且つ基板ケース３６により前側から覆われた中継基板３５と、基板ケース３６及び中継基板３５に固定され且つ筐体２の底壁６上に配置された補助タンク１３内に突出する左右一対の導電性プローブ３９とを備えている。
【００２２】
中継基板３５の裏側には一対の導電性プローブ３９を短絡するための短絡部材４０が設けられ、また筐体２には短絡部材４０に対応する位置に、筐体２の外側から短絡部材４０を短絡操作するための開口部４１が設けられている。
【００２３】
検出手段１４は中継基板３５から突出する一対の導電性プローブ３９により構成され、補助タンク１３内に貯留された遊技媒体が両導電性プローブ３９に接触したときに、遊技媒体を介して導電性プローブ３９間が電気的に導通して遊技媒体の貯留状態を検出するようになっている。従って、検出手段１４は中継基板３５に設けられている。なお、導電性プローブ３９は補助タンク１３の後壁部４２に形成された通孔４３から補助タンク１３内に突出している。
【００２４】
中継基板３５は補助タンク１３の裏側方部分に配置された第１基板部４４ａと、この第１基板部４４ａから上下方向の補助タンク１３の裏側へと横方向に延びる第２基板部４４ｂとを一体に備えている。第１基板部４４ａの前面にはその補助タンク１３側を除く周縁部分に複数の中継コネクタ４５〜４７が装着され、第２基板部４４ｂには左右一対の導電性プローブ３９を取り付ける取り付け孔４８が形成されている。中継コネクタ４５〜４７は例えば主制御基板１６との間で信号の授受を行う中継コネクタ、払い出し手段１２の制御信号用の中継コネクタ、開閉スイッチ８用の中継コネクタ等である。
【００２５】
中継基板３５の裏面には、中継コネクタ４５と中継コネクタ４６、中継コネクタ４５と中継コネクタ４７、中継コネクタ４５と導電性プローブ３９等を電気的に接続するプリントパターン４９，５０が形成されると共に、各導電性プローブ３９の取り付け孔４８の周辺に、各導電性プローブ３９に対応するプリントパターン５０に接続された導電部５１が形成されている。なお、導電部５１は取り付け孔４８の内周面及び／又は取り付け孔４８の周辺に設けてもよい。
【００２６】
各中継コネクタ４５〜４７は雌形又は雄形等であって、図７に示すようにその中継コネクタ４５には主制御基板１６からのハーネス５２が、中継コネクタ４６には払い出し手段１２からのハーネス５３が、中継コネクタ４７には開閉スイッチ８からの払い出し手段１２からのハーネス５４が夫々着脱自在に接続されている。
【００２７】
検出手段１４は例えば中継基板３５、中継コネクタ４５、ハーネス５２等を介して主制御基板１６に送信され、検出手段１４が補助タンク１３の遊技媒体を検出したときに主制御遊技媒体を介してスピーカ等の報知手段５５に報知信号を送信して、管理者に対して補助タンク１３の遊技媒体の貯留を報知するようになっている。
【００２８】
なお、第１基板部４４ａは略正方形等の矩形状であって、その外周の三辺に中継コネクタ４５〜４７が配置されており、また第２基板部４４ｂは第１基板部４４ａの上部、下部、中間部等の適当箇所から横方向に帯状に延びているが、第１基板部４４ａ、第２基板部４４ｂの全体を略同幅に形成してもよいし、第１基板部４４ａと第２基板部４４ｂとをＬ字状に屈曲して形成してもよい。従って、中継基板３５は中継コネクタ４５〜４７の配置、導電性プローブ３９の取り付けに適したものであれば、他の形状を選択することも可能である。
【００２９】
基板ケース３６は中継基板３５の前面側に対応する支持壁部５７と、この支持壁部５７の外周から後方に屈曲して中継基板３５の略全周を取り囲む周壁部５８と、周壁部５８の外周に形成された複数の取り付け部３７とを有し、周壁部５８の後端が後壁７に当接した状態で各取り付け部３７がネジ３８等により後壁７に固定されている。
【００３０】
基板ケース３６にはその支持壁部５７の第１基板部４４ａの外周側に対応する部分に複数の取り付けボス５９が、支持壁部５７の第２基板部４４ｂに取り付け孔４８に対応する取り付けボス６０が夫々形成されると共に、第１基板部４４ａの各中継コネクタ４５〜４７に対応して支持壁部５７の第１基板部４４ａの外周側から周壁部５８に跨がって開口６１〜６３が形成されている。
【００３１】
取り付けボス５９は支持壁部５７から裏側に突出しており、この取り付けボス５９の裏側に中継基板３５が当接して裏側からのネジ６４により固定されている。取り付けボス６０は導電性プローブ３９の取り付け用であって、支持壁部５７から前後両側に突出すると共に、導電性プローブ３９を裏側から挿通するための挿通孔６５が形成されている。なお、取り付けボス６０の裏側への突出量は取り付けボス５９と略同じである。
【００３２】
導電性プローブ３９は軸部６７の後端側に頭部６８が設けられると共に、少なくとも頭部６８の近傍部分に取り付けボス６０の挿通孔６５に対応してネジ部６９が設けられたネジ式となっている。そして、この導電性プローブ３９は軸部６７が中継基板３５の裏側から取り付け孔４８、支持壁部５７の取り付けボス６０の挿通孔６５に挿通して、そのネジ部６９が取り付けボス６０の内周に螺合することにより、中継基板３５、基板ケース３６の三者を互いに固定し結合するようになっている。各導電性プローブ３９は頭部６８と取り付けボス６０との間で中継基板３５を挟持しており、頭部６８を介して中継基板３５の裏面の導電部５１に電気的に接続されている。
【００３３】
短絡部材４０は導電性を有する弾性体、例えば弾性を有するステンレス板、その他の帯板を屈曲状に折り曲げて構成されている。この短絡部材４０はその一端側が取り付け孔７１に挿通された一方の導電性プローブ３９で共締めにより中継基板３５、基板ケース３６に固定され、他端側が他方の導電性プローブ３９に対して所定の間隔をおいて対向しており、他端側の被操作部７２を裏側から前側へと短絡方向に押圧したときに、その弾性変形により他端側が他方の導電性プローブ３９に対して頭部６８に接触して導電性プローブ３９を短絡するようになっている。
【００３４】
なお、短絡部材４０は第２基板部４４ｂの二つのパターンを短絡しないように中継コネクタ４５〜４７から遠い側で導電性プローブ３９により固定されている。また短絡部材４０には導電性プローブ３９廻りに廻らないように中継基板３５の端縁等に係合する廻り止め部を設けてもよい。
【００３５】
操作用の開口部４１は手指等を挿入して短絡部材４０を裏側から押圧するためのものであり、少なくとも短絡部材４０の他端側に対向するように筐体２の後壁７に前後に貫通して形成されている。なお、開口部４１は短絡部材４０に沿って左右方向に長い長孔状に形成されているが、短絡部材４０の被操作部７２にのみ対応して設けてもよい。また短絡部材４０の長手方向の中間部を被操作部７２とし、その被操作部７２に対応して開口部４１を設けてもよい。更に短絡部材４０の被操作部７２が開口部４１の前部側に入るようにしてもよい。
【００３６】
上記構成のスロットマシンにおいて、主タンク１１内の遊技媒体が満杯状態になれば、投入口２７から投入された後続の遊技媒体は主タンク１１のオーバーフロー口１９からオーバーフローして補助タンク１３へと落下する。そして、補助タンク１３内の遊技媒体が導電性プローブ３９の位置まで貯留すれば、その遊技媒体を介して一対の導電性プローブ３９が電気的に導通するため、検出手段１４がそれを検出して外部の報知手段が管理者に対して報知する。
【００３７】
従って、管理者は補助タンク１３内の導電性プローブ３９の貯留状態を把握でき、前面パネル３を開放して筐体２内の補助タンク１３を取り出した後、その補助タンク１３内の遊技媒体を他に移す等の所定の措置を講じることができる。
【００３８】
検出手段１４の動作状態を検査する場合には、筐体２の裏側から後壁７の開口部４１内に手指又は他の部材を挿入して短絡部材４０の他端側の被操作部７２を前側へと押圧する。すると短絡部材４０が弾性変形して他端側が他方の導電性プローブ３９の頭部６８に当接する。そして、検出手段１４を含む検出系統に断線、接触不良等の異常がなければ、短絡部材４０を介して一対の導電性プローブ３９が電気的に導通して短絡されるため、検出手段１４の動作状態が正常であることが判る。また検出手段１４等に異常があれば検出信号が出力されないので、異常であることが判る。
【００３９】
このため検出手段１４が筐体２の内部に装着されているにも拘わらず、その検出手段１４の動作状態を筐体２の裏側からの簡単な操作で検査することができ、従来に比較してその検査を容易にできる利点がある。特に前面パネル３を開閉する必要がなく、島設備に対するスロットマシンの設置の前後を問わず、検出手段１４の動作状態の異常の有無を容易に検査することが可能である。
【００４０】
中継基板３５に検出手段１４を設け、その一対の導電性プローブ３９を中継基板３５に固定しているため、中継基板３５、検出手段１４を筐体２の後壁７に取り付ける場合にも、中継基板３５の取り付けにより検出手段１４の取り付けが完了し、両者を別々に取り付けていた従来に比較して作業が非常に容易であり、中継基板３５、検出手段１４の取り付けを含む筐体２側の組み立て作業を簡素化することができる。
【００４１】
また中継基板３５に検出手段１４を設けることにより、その導電性プローブ３９を中継基板３５のプリントパターンを介して中継コネクタ４５〜４７に接続できるので、検出手段１４と中継基板３５とを接続するハーネスが不要になり、筐体２の後壁７の内側でのハーネス同士の錯綜も未然に防止することができる。しかも、検出手段１４と中継基板３５とが別部品になっている場合に比較して部品点数も減少し、その管理も容易になる。
【００４２】
中継基板３５を前側から覆う基板ケース３６の裏側に中継基板３５を固定し、基板ケース３６に中継コネクタ４５〜４７が露出する開口６１〜６３と、導電性プローブ３９が貫通する挿通孔６５とを設けることにより、基板ケース３６を介して中継基板３５、検出手段１４を筐体２に取り付けることができると共に、中継基板３５を基板ケース３６により前側から保護することができる。
【００４３】
基板ケース３６の挿通孔６５を有する取り付けボス６０に中継基板３５を裏側から当接して、中継基板３５の裏側から取り付けボス６０の挿通孔６５に螺合するネジ式の導電性プローブ３９により中継基板３５を基板ケース３６に固定することにより、導電性プローブ３９側で中継基板３５を基板ケース３６に固定するためのネジ等が不要になると共に、導電性プローブ３９を中継基板３５及び基板ケース３６に対して強固に固定でき、検出手段１４を中継基板３５に設けているにも拘わらず、導電性プローブ３９の不安定な揺れ等を容易に防止することができる。特に中継基板３５の導電性プローブ３９の取り付け孔４８の内周又は取り付け孔４８の周辺に形成され且つ該各導電性プローブ３９の対応するプリントパターン５０に接続された導電部５１を設けることにより、導電性プローブ３９とプリントパターン５０との接続も容易に行うことができる。
【００４４】
図８は本発明の第２の実施例を例示する。この実施例では、一対の導電性プローブ３９は中継基板３５に直接固定され、導電性プローブ３９は頭部６８近傍の軸部６７にネジ部６９を備えたネジ式であり、そのネジ部６９に螺合するナット７４と頭部６８とが中継基板３５を前後両側から挟むことにより、中継基板３５に固定されている。そして、導電性プローブ３９の軸部６７が基板ケース３６の挿通孔６５を貫通して補助タンク１３内に突出している。他の構成は第１の実施例と同様である。
【００４５】
この検出手段１４を中継基板３５に設けるに当たっては、ネジ式の一対の導電性プローブ３９をナット７４により中継基板３５に直接取り付けるようにしてもよい。
【００４６】
図９は本発明の第３の実施例を例示する。この実施例では、一対の導電性プローブ３９が中継基板３５にナット７４等で直接固定され、この中継基板３５がスペーサ７５を介してネジ７６により筐体２の後壁７に固定されている。
【００４７】
このように中継基板３５を筐体２の後壁７に取り付けるようにすれば、第１の実施例の基板ケース３６等を省略することができる。従って、基板ケース３６、カバー等で覆う必要のない箇所に中継基板３５を設ける場合には、構造の簡素化を図ることができる。
【００４８】
以上、本発明の各実施例について詳述したが、本発明はこの各実施例に限定されるものではなく、本発明の趣旨を逸脱しない範囲で種々の変更が可能である。例えば、実施例では、検出手段１４の一対の導電性プローブ３９を略同一高さで左右に配置しているが、高低差を持たせて配置してもよい。なお、導電性プローブ３９を略同一高さに設ける場合には、一対の導電性プローブ３９は１個の遊技媒体で短絡しない程度の間隔（１個の遊技媒体よりも大きい間隔）をおいて設けることが望ましい。また導電性プローブ３９は前後方向に長いピン状が望ましいが、前後方向に長い帯板状にして、その板面が左右に相対向するように略平行に配置してもよい。
【００４９】
中継基板３５に一対の導電性プローブ３９を取り付ける場合、導電性プローブ３９を中継基板３５に直接的に取り付けてもよいし、基板ケース３６等を介して間接的に取り付けてもよい。また一対の導電性プローブ３９と、この導電性プローブ３９の基部を支持する合成樹脂製等の支持部材とにより検出手段１４を構成しておき、この支持部材を中継基板３５にネジ等で固定したときに各導電性プローブ３９が中継基板３５側に電気的に接続するようにしてもよい。
【００５０】
短絡部材４０は筐体２の外部から短絡操作可能であれば良く、その操作部の構造としては、筐体２の後壁７に開口部４１を形成する他、後壁７に前後方向に操作部材を挿通しておき、その操作部材を筐体２の外側から操作すれば短絡部材４０が導電性プローブ３９を短絡するようにしてもよい。また短絡部材４０は検出手段１４から分離して筐体２側の操作部材に設けてもよい。短絡部材４０は省略してもよい。
【００５１】
更に実施例では、中継基板３５により中継すべき電気的手段として、主制御基板１６、払い出し手段１２、開閉スイッチ８等を例示しているが、中継基板３５は他の電気的手段相互を接続を中継するものでもよい。また実施例ではメダル等を遊技媒体とするスロットマシンについて例示したが、遊技球を遊技媒体とするパチンコ機等の弾球遊技機でもよい。
【符号の説明】
【００５２】
２７  投入口
１１  主タンク
１２  払い出し手段
１３  補助タンク
３５  中継基板
１４  検出手段
４２  筐体
２  筐体
７  後壁
３９  導電性プローブ
４４  第１基板部
４５  第２基板部
５２〜５４  ハーネス
３６  基板ケース
６１〜６３  開口
６５  挿通孔
４９，５０  プリントパターン
５１  導電部
【図１】
0005579116.tif 000002
【図２】
0005579116.tif 000003
【図３】
0005579116.tif 000004
【図４】
0005579116.tif 000005
【図５】
0005579116.tif 000006
【図６】
0005579116.tif 000007
【図７】
0005579116.tif 000008
【図８】
0005579116.tif 000009
【図９】
0005579116.tif 000010